(57)【特許請求の範囲】
【請求項１】
行方向及び列方向に二次元状に配置された複数の画素と、
前記複数の画素の配列のうち行方向又は列方向に配置された画素の信号を出力するセンサ部とを備える固体撮像装置であって、
前記センサ部の前記画素から前記信号を前記配置通り一行ずつ順次出力させる第１の駆動回路と、
前記センサ部の同一の列に含まれる前記画素のうち一の画素混合ユニットに含まれ且つ同色のカラーフィルタを有する画素の前記信号を順次出力させる第２の駆動回路とをさらに備え、
前記第１の駆動回路及び第２の駆動回路のそれぞれは、前記センサ部の前記画素における全ての前記信号を出力させることを特徴とする固体撮像装置。
【請求項２】
前記センサ部における前記画素の各列に対応して前記第１の駆動回路から順次出力される第１の駆動信号と、前記センサ部における前記画素の複数列に対応して前記第２の駆動回路から順次出力される第２の駆動信号とのいずれか一方を選択し、選択した駆動信号を前記センサ部に出力する選択回路をさらに備えていることを特徴とする請求項１に記載の固体撮像装置。
【請求項３】
前記選択回路は、前記センサ部に対し、前記第１の駆動信号を前記センサ部における前記画素の各列毎に出力する第１のトランジスタ群と、前記第２の駆動信号を前記センサ部における前記画素の複数列毎に出力する第２のトランジスタ群とを有していることを特徴とする請求項２に記載の固体撮像装置。
【請求項４】
前記第１トランジスタ群及び第２トランジスタ群は、ＣＭＯＳトランジスタにより構成されていることを特徴とする請求項３に記載の固体撮像装置。
【請求項５】
前記第１トランジスタ群及び第２トランジスタ群は、ＮＭＯＳトランジスタにより構成されていることを特徴とする請求項３に記載の固体撮像装置。
【請求項６】
行方向及び列方向に二次元状に配置された複数の画素と、
前記複数の画素の配列のうち行方向又は列方向に配置された画素の信号を出力するセン
サ部とを備え、静止画を撮影する静止画モードと動画を撮影する動画モードとを有する固体撮像装置の駆動方法であって、
前記静止画モードが選択された場合に、前記センサ部の前記画素から前記信号を前記配置通り一行ずつ順次出力させ、
前記動画モードが選択された場合に、前記センサ部の同一の列に含まれる前記画素のうち一の画素混合ユニットに含まれ且つ同色のカラーフィルタを有する画素の前記信号を順次出力させ、
前記静止画モード及び動画モードのそれぞれは、前記センサ部の前記画素における全ての前記信号を出力させることを特徴とする固体撮像装置の駆動方法。
【請求項７】
前記請求項１〜５のうちいずれか１項に記載の固体撮像装置を備えていることを特徴とするカメラ。
【請求項８】
前記第１の駆動回路及び第２の駆動回路はそれぞれ、シフトレジスタを備えていることを特徴とする請求項１に記載の固体撮像装置。
【請求項９】
前記第１の駆動回路及び第２の駆動回路は、シフトレジスタと、前記シフトレジスタと前記複数の画素との接続を制御するトランジスタ部とを有し、前記トランジスタ部に第１の信号が印加された場合に前記第１の駆動回路として動作し、前記トランジスタ部に第２の信号が印加された場合に前記第２の駆動回路として動作することを特徴とする請求項１に記載の固体撮像装置。
【請求項１０】
前記複数の画素のそれぞれはカラーフィルタを有し、
前記第２の駆動回路は、同色が連続するように行を入れ替えることを特徴とする請求項１に記載の固体撮像装置。
【発明の詳細な説明】
【技術分野】
【０００１】
本発明は、デジタルカメラ等に使用されるＭＯＳ型の固体撮像装置に関し、さらに、垂直方向及び水平方向に二次元状に配置された複数の画素を有すると共に、複数の画素のうち垂直方向又は水平方向に隣接する画素は互いに異なる色のカラーフィルタを有している固体撮像装置に関する。
【背景技術】
【０００２】
（第１の従来例）
近年、固体撮像装置としては、例えば図１０に示すようなものが知られている（特許文献１を参照）。
【０００３】
以下、図１０を参照しながら、特許文献１に示される第１の従来例に係る固体撮像装置について説明する。
【０００４】
図１０において、２０１は行列状に配列された複数の画素の集合を示し、２０２は２行２列に配列された４つの画素よりなる画素ユニットを示し、２０３は第１の画素混合エリアを構成する複数の画素よりなる第１の画素混合ユニットを示し、２０４は第２の画素混合エリアを構成する複数の画素よりなる第２の画素混合ユニットを示し、２０５は第３の画素混合エリアを構成する複数の画素よりなる第３の画素混合ユニットを示す。また、図１０において、２０６は垂直シフトレジスタを示し、２０７は垂直シフトレジスタ２０６から出力される信号の経路を示している。
【０００５】
以下においては、説明を簡略化するために、画素ユニット２０２を構成する４つの画素のうち、斜線が施された□及び○で示される２種類の画素の動作について説明する。
【０００６】
第１の画素混合ユニット２０３において、電荷信号が混合される画素は斜線が施された□で示される９個の画素である。垂直シフトレジスタ２０６が１行目から５行目まで順次走査した時点で、画素混合対象となる斜線が施された□で示される９個の画素の電荷信号が得られ、その後、画素混合が行なわれる。
【０００７】
この時点では垂直シフトレジスタ２０６は５行目まで走査しており、４行目までの走査において、第２の画素混合ユニット２０４を構成する斜線で施された○で示される３個の画素の信号も出力されているので、これらの信号を保持する必要がある。
【０００８】
次に、垂直シフトレジスタ２０６が６行目から８行目まで走査すると、６行目及び８行目に位置する画素混合対象となる斜線が施された○で示される６個の画素の信号と、既に信号が保持されている４行目の３個の画素の信号との間で画素混合が行なわれる。そして、７行目に位置し第３の画素混合ユニット２０５を構成する斜線が施された□で示される３個の画素の信号が保持される。
【０００９】
（第２の従来例）
以下、第２の従来例であって、特許文献２に記載されている駆動回路を用いた固体撮像装置について図１１を参照しながら説明する。
【００１０】
図１１に示すように、固体撮像装置は、行列状に配置された複数の画素部３０１１、３０１２、３０１３、…を有する撮像部３０１と、列選択信号線３０２に列選択信号を供給する駆動回路３０３と、行選択信号線３０８に行選択信号を供給する駆動回路３０７とを有する。
【００１１】
図１２に駆動回路３０３のブロック構成を示す。図１２に示すように、走査パルス３０９が駆動レジスタ３０３１に入力され、さらにクロックパルス３０５が印加されると、駆動レジスタ３０３１の出力信号３１０は選択回路３０４１に入力される。選択回路３０４１は、制御信号３０６に応じて駆動レジスタ３０３１の出力を駆動レジスタ３０３２又は駆動レジスタ３０３３に出力する。すなわち、順次走査を示す制御信号３０６が入力されたときは、駆動レジスタ３０３１、３０３２、３０３３、３０３４、…のように各駆動レジスタが順次列選択信号を出力する。これにより、例えば画素部３０１１、３０１２、３０１３、３０１４、…のように画素の順次走査が行なわれる。
【００１２】
また、飛び越し走査を示す制御信号３０６が入力されたときは、駆動レジスタ３０３１、３０３３、３０３５、…のように１つおきの駆動レジスタが列選択信号を列選択信号線３０２に出力する。これにより、例えば、画素部３０１１、３０１３、３０１５、…のように画素の１列おきに飛び越し走査が行なわれる。
【特許文献１】特開２００１−２９２４５３号公報
【特許文献２】特開２００２−３１４８８２号公報（第１図）
【発明の開示】
【発明が解決しようとする課題】
【００１３】
（第１の従来例）
ところで、前記第１の従来例に係る固体撮像装置は、垂直方向の走査において次段に位置する画素混合ユニット（画素混合エリアの基本単位）の１行分の信号を直ちに出力することなく保持する動作が要求される。
【００１４】
このように、従来の固体撮像装置においては、固体撮像素子を垂直方向に走査する過程において、次段の画素混合ユニットを構成する１行分の画素の信号を保持する動作が必要となるため、動作及び回路構成が複雑になるという第１の問題がある。
【００１５】
（第２の従来例）
また、近年の固体撮像装置には、静止画のみならず動画にも対応したいという要求が増加している。例えば、デジタルカメラでは液晶パネルへのモニタ画像の表示用として、デジタルカメラに搭載された固体撮像装置は動画の出力を行なう。
【００１６】
ところが、前記第２の従来例に係る固体撮像装置は、飛び越し走査により動画にも対応可能ではあるが、飛び越し走査によって画素が間引かれて画素情報が欠落するため、表示画像における発色が不自然となるいわゆる偽色が発生するので、画質を損なうという第２の問題がある。
【００１７】
前記第１の問題に鑑み、本発明は、次段の画素混合ユニットを構成する画素を保持する動作を不要にすることが可能な固体撮像装置を提供することを第１の目的とする。
【００１８】
また、前記第２の問題に鑑み、本発明は、動画の撮像時においても画素情報の欠落による偽色の発生を防止できるようにすることを第２の目的とする。
【課題を解決するための手段】
【００１９】
前記の第１の目的を達成するため、本発明に係る第１の固体撮像装置は、垂直方向及び水平方向に二次元状に配置された複数の画素を有すると共に、複数の画素のうち垂直方向又は水平方向に隣接する画素は互いに異なる色のカラーフィルタを有している固体撮像装置を対象とし、所定期間においては、複数の画素のうち同色のカラーフィルタを有する画素から受けた電荷信号を順次出力する信号出力手段を備えていることを特徴とする。
【００２０】
第１の固体撮像装置によると、信号出力手段は、所定期間においては、複数の画素のうち同色のカラーフィルタを有する画素から受けた電荷信号を順次出力するため、一の色のカラーフィルタを有する画素から受けた電荷信号を出力している際には、他の色のカラーフィルタを有する画素から受けた電荷信号を出力する必要がなくなる。このため、他の色のカラーフィルタを有する画素から出力される信号を保持する動作が不要となるので、次段の画素混合ユニットを構成する画素を保持する動作が不要となる。
【００２１】
第１の固体撮像装置において、信号出力手段は、所定期間においては、複数の画素のうち、水平方向に並び且つ同色のカラーフィルタを有する画素から受けた電荷信号を順次出力する手段を有していることが好ましい。
【００２２】
このようにすると、水平方向に並ぶ画素群のうち一の色のカラーフィルタを有する画素から受けた電荷信号を出力している際には、水平方向に並ぶ画素群のうち他の色のカラーフィルタを有する画素から受けた電荷信号を出力する必要がないため、他の色のカラーフィルタを有する画素から出力される信号を保持する動作が不要になる。
【００２３】
第１の固体撮像装置において、信号出力手段は、所定期間においては、複数の画素のうち、垂直方向に並び且つ同色のカラーフィルタを有する画素から受けた電荷信号を順次出力する手段を有していることが好ましい。
【００２４】
このようにすると、垂直方向に並ぶ画素群のうち一の色のカラーフィルタを有する画素から受けた電荷信号を出力している際には、垂直方向に並ぶ画素群のうち他の色のカラーフィルタを有する画素から受けた電荷信号を出力する必要がないため、他の色のカラーフィルタを有する画素から出力される信号を保持する動作が不要になる。
【００２５】
第１の固体撮像装置において、信号出力手段は、複数の画素のうち垂直方向又は水平方向に並ぶ画素に対して順次走査を行なう第１のシフトレジスタと、複数の画素のうち垂直方向又は水平方向に並び且つ同色のカラーフィルタを有する画素に対して順次走査を行なう第２のシフトレジスタとを有していることが好ましい。
【００２６】
このようにすると、第１のシフトレジスタ及び第２のシフトレジスタのうちの一方を選択することにより、垂直方向又は水平方向に並ぶ画素に対して順次走査を行なう通常の動作と、同色のカラーフィルタを有する画素に対して順次走査を行なう混合動作とを選択することができる。
【００２７】
第１の固体撮像装置において、信号出力手段は、複数の画素のうち垂直方向又は水平方向に並ぶ全ての画素に対して順次走査を行なうシフトレジスタと、シフトレジスタから受けた電荷信号を、垂直方向又は水平方向に並ぶ画素毎に順次出力する第１の出力方式と、同色のカラーフィルタを有する画素毎に順次出力する第２の出力方式とに切り替えて出力する出力手段とを有していることが好ましい。
【００２８】
このようにすると、第１の出力方式と第２の出力方式とを切り替えることにより、１つのシフトレジスタによって、垂直方向又は水平方向に並ぶ全ての画素の信号を順次出力する通常の動作と、垂直方向又は水平方向に並ぶ画素のうち同色のカラーフィルタを有する画素の信号を順次出力する混合動作とを選択することができる。
【００２９】
また、前記の第２の目的を達成するため、本発明に係る第２の固体撮像装置は、行方向及び列方向に二次元状に配置された複数の画素と、複数の画素の配列のうち行方向又は列方向に配置された画素列と対応して複数の選択信号を出力するセンサ部と、センサ部から画素列に対して選択信号を一列ずつ出力させる第１の駆動回路と、センサ部から画素列に対して選択信号を複数列ずつまとめて出力させる第２の駆動回路とを備えていることを特徴とする。
【００３０】
第２の固体撮像装置によると、静止画モードである通常動作時には、第１の駆動回路による選択信号を１列ずつの画素列に出力し、動画モードである高速動作時には、第２の駆動回路による選択信号を複数列ずつまとめて画素列に出力する。このように、高速動作時に選択信号を複数列ずつまとめて画素列に出力するため、複数の選択信号を受けた複数の画素列から出力される画素信号を平均化して、平均化された画素信号を新たな画素単位とする縮小画像を生成すれば、画素の欠落がない画像を得ることができるので、動画モードにおける偽色の発生を防止することができ、動画像の画質が向上する。
【００３１】
第２の固体撮像装置は、画素列の各列に対応して第１の駆動回路から順次出力される第１の駆動信号と、画素列の複数列に対応して第２の駆動回路から順次出力される第２の駆動信号とのいずれか一方を選択し、選択した駆動信号をセンサ部に出力する選択回路をさらに備えていることが好ましい。
【００３２】
このようにすると、選択回路を設けたことにより、静止画モードと動画モードとを容易に且つ確実に切り換えることができる。
【００３３】
第２の固体撮像装置において、選択回路は、センサ部に対し、第１の駆動信号を画素列の各列毎に出力する第１のトランジスタ群と、第２の駆動信号を画素列の複数列毎に出力する第２のトランジスタ群とを有していることが好ましい。
【００３４】
この場合に、第１トランジスタ群及び第２トランジスタ群は、ＣＭＯＳトランジスタにより構成されていることが好ましい。
【００３５】
また、この場合に、第１トランジスタ群及び第２トランジスタ群は、ＮＭＯＳトランジスタにより構成されていることが好ましい。
【００３６】
本発明に係る固体撮像装置の駆動方法は、行方向及び列方向に二次元状に配置された複数の画素と、複数の画素の配列のうち行方向又は列方向に配置された画素列と対応して複数の選択信号を出力するセンサ部とを備え、静止画を撮像する静止画モードと動画を撮像する動画モードとを有する固体撮像装置の駆動方法を対象とし、静止画モードが選択された場合に、センサ部から画素列に対して選択信号を一列ずつ出力させる第１ステップと、動画モードが選択された場合に、センサ部から画素列に対して選択信号を複数列ずつまとめて出力させる第２ステップとを備えていることを特徴とする。
【００３７】
本発明の固体撮像装置の駆動方法によると、動画モードが選択された場合に、センサ部から画素列に対して選択信号を複数列ずつまとめて出力させるため、複数の選択信号を受けた複数の画素列から出力される画素信号を平均化して、平均化された画素信号を新たな画素単位とする縮小画像を生成すれば、画素の欠落がない画像を得ることができるので、動画モードにおける偽色の発生を防止することができ、動画像の画質を向上することができる。
【００３８】
本発明に係るカメラは、本発明の第１又は第２の固体撮像装置を備えていることを特徴とする。
【００３９】
本発明のカメラによると、動画像の偽色の発生を防止して、動画像の画質を向上することができる。
【発明の効果】
【００４０】
本発明に係る第１の固体撮像装置によると、一の色のカラーフィルタを有する画素から受けた電荷信号を出力している際には、他の色のカラーフィルタを有する画素から受けた電荷信号を出力する必要がないため、他の色のカラーフィルタを有する画素から出力される信号を保持する動作が不要になるので、次段の画素混合ユニットを構成する画素を保持する動作が不要になる。
【００４１】
本発明に係る第２の固体撮像装置によると、動画の撮像モードにおいて、画素情報の欠落による偽色の発生を防止でき、動画像の画質を向上できる。
【発明を実施するための最良の形態】
【００４２】
（第１の実施形態）
本発明の第１の実施形態に係る固体撮像装置について、図１〜図５を参照しながら説明する。
【００４３】
［第１の実施形態に係る固体撮像装置の配列及び走査方法］
図１は一実施形態に係る固体撮像装置の配列及び走査方法を示しており、該固体撮像装置においては、光電変換素子と該光電変換素子の前面に設けられたカラーフィルタとを有する複数の画素が行方向（垂直方向）及び列方向（水平方向）に二次元に配置されていると共に、カラーフィルタの色が２行及び２列を一単位として二次元に繰り返し配列されている。
【００４４】
図１においては、○は一の色のカラーフィルタを有する画素を表わし、□は一の色と異なる他の色のカラーフィルタを有する画素を表わしている。尚、□で表わされる画素においては、同じ色のカラーフィルタを有する画素と、異なる色のカラーフィルタを有する画素とが存在する。図１から明らかなように、一の色のカラーフィルタを有する画素（○で表わされる画素）は、行方向及び列方向のいずれにおいても隣り合わない。つまり、複数の画素のうち垂直方向又は水平方向に隣接する画素は互いに異なる色のカラーフィルタを有している。
【００４５】
また、図１において、１は行方向及び列方向に二次元に配列された複数の画素の集合を示し、２は２行且つ２列に配列された４個の画素よりなる画素ユニットを示し、３は５行且つ５列に配列された２５個の画素よりなる画素混合ユニットを示し、本実施形態においては、所定期間において、一の画素混合ユニット３を構成する複数の画素のうち、一の色のカラーフィルタを有する画素から受けた電荷信号が順次出力される。５は列方向（水平方向）に並ぶ画素に対して走査する水平シフトレジスタを示し、６は行方向（垂直方向）に並ぶ画素に対して走査する垂直シフトレジスタを示している。また、本実施形態においては、図１に示すように、水平シフトレジスタ５の出力１、２、３、４、５、６、７、８、９、１０、１１は、それぞれ、画素列２、１、３、５、４、６、８、７、９、１１、１０に接続されていると共に、垂直シフトレジスタ６の出力１、２、３、４、５、６、７、８、９、１０、１１は、それぞれ、画素行２、１、３、５、４、６、８、７、９、１１、１０に接続されている。
【００４６】
水平シフトレジスタ５が順次走査すると、水平方向の信号出力は、画素列２、１、３、５、４、６、８、７、９、１１、１０の順に行なわれ、水平シフトレジスタ５の下方に図示しているように、列番号１、３、５の画素（○で表わされる画素）と、列番号７、９、１１の画素（○で表わされる画素）とが、それぞれ、連続して出力される。すなわち、所定期間、画素混合ユニット３を構成する列番号１、３、５の画素の信号が連続して出力され且つ混合される。
【００４７】
また、垂直シフトレジスタ６が順次走査すると、垂直方向の信号出力は、画素行２、１、３、５、４、６、８、７、９、１１、１０の順に行なわれ、垂直シフトレジスタ６の左方に図示しているように、行番号１、３、５の画素（○で表わされる画素）と、行番号７、９、１１の画素（○で表わされる画素）とが、それぞれ、連続して出力される。すなわち、所定期間、画素混合ユニット３を構成する行番号１、３、５の画素の信号が連続して出力され且つ混合される。
【００４８】
［第１の実施形態に係る固体撮像装置における第１の信号伝達方式］
図２は本発明の第１の実施形態に係る固体撮像装置における第１の信号伝達方式の第１の例を示している。
【００４９】
図２において、１０はセンサ部において列方向に配列された一列の画素群を示し、１１は一列の画素群１０を構成する全ての画素に対して垂直方向に順次走査を行なう第１の垂直シフトレジスタを示し、１２は一列の画素群１０を構成する画素のうち一の画素混合ユニットに含まれ且つ同色のカラーフィルタを有する画素に対して順次走査を行なう第２の垂直シフトレジスタを示している。尚、図２において、１１ａは第１の垂直シフトレジスタ１１の第１の走査開始端子を示し、１２ａは第２の垂直シフトレジスタ１２の第２の走査開始端子を示しており、第１の走査開始端子１１ａ又は第２の走査開始端子１２ａの一方に走査開始信号を印加することにより、第１の垂直シフトレジスタ１１又は第２の垂直シフトレジスタ１２が選択される。
【００５０】
以下、図２に示す第１の信号伝達方式の第１の例における動作について説明する。
【００５１】
通常の走査を行なう場合には、第１の走査開始信号端子１１ａに走査開始信号を印加すると、第１の垂直シフトレジスタ１１が走査を開始する。この場合、第１の垂直シフトレジスタ１１は、一列の画素群１０を構成する全ての画素に対して順次走査を行なうため、固体撮像装置は通常の動作を行なう。
【００５２】
一方、画素混合を行なう場合には、第２の走査開始信号端子１２ａに走査開始信号を印加すると、第２の垂直シフトレジスタ１２が走査を開始する。この場合、第２の垂直シフトレジスタ１２は、一列の画素群１０を構成する画素のうち一の画素混合ユニットに含まれ且つ同色のカラーフィルタを有する画素に対して順次走査を行なうため、固体撮像装置は画素混合動作を行なう。
【００５３】
図３は、本発明の第１の実施形態に係る固体撮像装置における第１の信号伝達方式の第２の例を示している。
【００５４】
図３において、１５はセンサ部において列方向に配列された一列の画素群を示し、１６は一列の画素群１５を構成する全ての画素に対して垂直方向に順次走査を行なう第１の垂直シフトレジスタを示し、１７は一列の画素群１５を構成する画素のうち一の画素混合ユニットに含まれ且つ同色のカラーフィルタを有する画素に対して順次走査を行なう第２の垂直シフトレジスタを示している。尚、図３において、１６ａは第１の垂直シフトレジスタ１６の第１の走査開始端子を示し、１７ａは第２の垂直シフトレジスタ１７の第２の走査開始端子を示しており、第１の走査開始端子１６ａ又は第２の走査開始端子１７ａの一方に走査開始信号を印加することにより、第１の垂直シフトレジスタ１６又は第２の垂直シフトレジスタ１７が選択される。
【００５５】
以下、図３に示す第１の信号伝達方式の第２の例における動作について説明する。
【００５６】
通常の走査を行なう場合には、第１の走査開始信号端子１６ａに走査開始信号を印加すると、第１の垂直シフトレジスタ１６が走査を開始する。この場合、第１の垂直シフトレジスタ１６は、一列の画素群１５を構成する全ての画素に対して順次走査を行なうため、固体撮像装置は通常の動作を行なう。
【００５７】
一方、画素混合を行なう場合には、第２の走査開始信号端子１７ａに走査開始信号を印加すると、第２の垂直シフトレジスタ１７が走査を開始する。この場合、第２の垂直シフトレジスタ１７は、一列の画素群１５を構成する画素のうち一の画素混合ユニットに含まれ且つ同色のカラーフィルタを有する画素に対して順次走査を行なうため、固体撮像装置は画素混合動作を行なう。
【００５８】
［第１の実施形態に係る固体撮像装置における第２の信号伝達方式］
図４は本発明の第１の実施形態に係る固体撮像装置における第２の信号伝達方式の第１の例を示している。
【００５９】
図４において、２０はセンサ部において列方向に配列された一列の画素群を示し、２１は一列の画素群２０を構成する全ての画素に対して垂直方向に順次走査を行なう垂直シフトレジスタを示している。また、図４において、２２、２３、２４、２５、２６、２７、２８、２９、３０、３１、３２、３３、３４、３５及び３６はそれぞれトランジスタを示しており、トランジスタ２２、２７、３１の各ゲートはゲート信号ＶＡに接続されており、トランジスタ２３、２５、２８、３０、３３、３５の各ゲートはゲート信号線ＶＢに接続されており、トランジスタ２４、２６、２９、３２、３４、３６の各ゲートはゲート信号線ＶＣに接続されている。
【００６０】
図４に示すように、垂直シフトレジスタ２１の出力１はトランジスタ２２を介してセンサ部１に接続されており、垂直シフトレジスタ２１の出力２はトランジスタ２３を介してセンサ部２に接続されていると共に、トランジスタ２４を介してセンサ部３に接続されており、垂直シフトレジスタ２１の出力３はトランジスタ２６を介してセンサ部２に接続されていると共にトランジスタ２５を介してセンサ部３に接続されている。垂直シフトレジスタの出力４〜９は、出力１〜３と同様に、トランジスタ２７〜トランジスタ３６を介してセンサ部４〜センサ部９に接続されている。
【００６１】
以下、図４に示す第２の信号伝達方式の第１の例における動作について説明する。
【００６２】
通常の走査を行なう場合には、ゲート信号線ＶＡ及びゲート信号線ＶＢをｈｉｇｈに設定すると共に、ゲート信号線ＶＣをｌｏｗに設定する。このようにすると、垂直シフトレジスタ２１は、一列の画素群２０を構成する全ての画素の信号を順次出力するため、固体撮像装置は通常の動作を行なうことができる。
【００６３】
一方、画素混合を行なう場合には、ゲート信号線ＶＡ及びゲート信号線ＶＣをｈｉｇｈに設定すると共に、ゲート信号線ＶＢをｌｏｗに設定する。このようにすると、垂直シフトレジスタ２１は、所定期間、一列の画素群２０を構成する画素のうち一の画素混合ユニットに含まれ且つ同色のカラーフィルタを有する画素からの信号を出力するため、固体撮像装置は画素混合動作を行なうことができる。
【００６４】
以上のように、ゲート信号線ＶＡ、ＶＢ、ＶＣに印加する信号の種類を選択することにより、１つの垂直シフトレジスタ２１で、順次走査方式と画素混合走査方式との切り替えが可能になる。
【００６５】
図５は本発明の第１の実施形態に係る固体撮像装置における第２の信号伝達方式の第２の例を示している。
【００６６】
図５において、２５はセンサ部において列方向に配列された一列の画素群を示し、２６は一列の画素群２５を構成する全ての画素に対して垂直方向に順次走査を行なう垂直シフトレジスタを示している。また、図５において、４０、４１、４２、４３、４４、４５、４６、４７、４８、４９、５０、５１、５２、５３、５４、５５、５６、５７、５８、５９、６０、６１、６２、６３、６４、６５、６６及び６７はそれぞれトランジスタを示しており、トランジスタ４０、４９、５８、６１の各ゲートはゲート信号ＶＡに接続されており、トランジスタ４１、４２、４５、４６、５０、５１、５４、５５、５９、６０、６３、６４の各ゲートはゲート信号線ＶＢに接続されており、トランジスタ４３、４４、４７、４８、５２、５３、５６、５７、６１、６２、６５、６６の各ゲートはゲート信号線ＶＣに接続されている。
【００６７】
以下、図５に示す第２の信号伝達方式の第２の例における動作について説明する。
【００６８】
通常の走査を行なう場合には、ゲート信号線ＶＡ及びゲート信号線ＶＢをｈｉｇｈに設定すると共に、ゲート信号線ＶＣをｌｏｗに設定する。このようにすると、垂直シフトレジスタ２６は、一列の画素群２５を構成する全ての画素の信号を順次出力するため、固体撮像装置は通常の動作を行なうことができる。
【００６９】
一方、画素混合を行なう場合には、ゲート信号線ＶＡ及びゲート信号線ＶＣをｈｉｇｈに設定すると共に、ゲート信号線ＶＢをｌｏｗに設定する。このようにすると、垂直シフトレジスタ２６は、所定期間、一列の画素群２５を構成する画素のうち一の画素混合ユニットに含まれ且つ同色のカラーフィルタを有する画素からの信号を出力するため、固体撮像装置は画素混合動作を行なうことができる。
【００７０】
以上のように、ゲート信号線ＶＡ、ＶＢ、ＶＣに印加する信号の種類を選択することにより、１つの垂直シフトレジスタ２６で、順次走査方式と画素混合走査方式との切り替えが可能になる。
【００７１】
（第２の実施形態）
以下、本発明の第２の実施形態について図面を参照しながら説明する。
【００７２】
図６は本発明の第２の実施形態に係る固体撮像装置の主要部の構成を示すブロック図である。図６に示すように、第２の実施形態に係る固体撮像装置は、行列状に配置された複数の画素部１０１１、１０１２、１０１３、…を有する撮像部１０１と、列選択信号線１０２に列選択信号を供給する列駆動回路１０３と、行選択信号線１０８に行選択信号を供給する行駆動回路１０７とを有している。
【００７３】
図７に列駆動回路１０３のブロック構成を示す。図７に示すように、列駆動回路１０３は、センサ部１１０、選択回路１２０、第１の駆動回路１３０及び第２の駆動回路１４０とから構成されている。
【００７４】
センサ部１１０は、図６に示す列選択信号線１０２に接続される列選択信号線１１１、１１２、１１３、…とそれぞれ接続された読み出し用の複数のＭＯＳトランジスタからなるスイッチトランジスタＳＷを含む。各ドレインが列選択信号線１１１、１１２、１１３、…と接続された各スイッチトランジスタＳＷは、その各ソースが検出信号線１０５と接続され、各ゲートに選択回路１２０からの駆動信号１２１ａ〜１２１ｃ、１２２ａ〜１２２ｃ、１２３ａ〜１２３ｃを受ける。
【００７５】
選択回路１２０は、第１のブロック１２１、第２のブロック１２２及び第３のブロック１２３に分割されており、第１のブロック１２１は第１の駆動回路１３０からの第１の駆動信号１３１ａ〜１３１ｃと第２の駆動回路１４０からの第２の駆動信号１４１ａとを受け、第２のブロック１２２は第１の駆動回路１３０からの第１の駆動信号１３２ａ〜１３２ｃと第２の駆動回路１４０からの第２の駆動信号１４２ａとを受け、第３のブロック１２３は第１の駆動回路１３０からの第１の駆動信号１３３ａ〜１３３ｃと第２の駆動回路１４０からの第２の駆動信号１４３ａとを受ける。
【００７６】
従って、選択回路１２０は、第１の駆動回路１３０からの第１の駆動信号１３１ａ〜１３３ｃ及び第２の駆動回路１４０からの第２の駆動信号１４１ａ、１４２ａ及び１４３ａのいずれか一方を選択し、前記の駆動信号１２１ａ〜１２３ｃとして出力する。
【００７７】
各スイッチトランジスタＳＷは、選択回路１２０により選択された駆動信号１２１ａ〜１２３ｃをそれぞれゲートに受けて導通し、対応する画素列における選択された画素行の画素信号を検出信号線１０５に出力する。
【００７８】
より具体的には、選択回路１２０は、外部からの指示により変更される撮像モードであって、静止画の撮像を行なう静止画モードにおいては、第１の駆動回路１３０からの第１の駆動信号を選択し、一方、動画の撮像を行なう動画モードにおいては、第２の駆動回路１４０を選択する。このとき、選択回路１２０は、第１の駆動回路１３０からの第１の駆動信号が選択された場合は順次走査を行ない、第２の駆動回路１４０からの第２の駆動信号が選択された場合は、飛び越し走査ではなく複数列、本実施形態においては３列分の駆動信号１２１ａ〜１２１ｃ等を同時に選択して出力する。
【００７９】
第１の駆動回路１３０は、撮像部１０１の画素列と同数の第１の駆動信号１３１ａ〜１３１ｃ、１３２ａ〜１３２及び１３３ａ〜１３３ｃを出力し、このうち、第１の駆動信号１３１ａ〜１３１ｃは第１のブロック１３１により出力され、第１の駆動信号１３２ａ〜１３２ｃは第２のブロック１３２により出力され、第１の駆動信号１３３ａ〜１３３ｃは第３のブロック１３３により出力される。
【００８０】
第２の駆動回路１４０は、撮像部１０１の画素列の数の３分の１の数の第２の駆動信号１４１ａ、１４２ａ及び１４３ａを出力し、このうち、第２の駆動信号１４１ａは第１のブロック１４１により出力され、第２の駆動信号１４２ａは第２のブロック１４２により出力され、第２の駆動信号１４３ａは第３のブロック１４３により出力される。
【００８１】
以上の構成により、第１の駆動回路１３０から順次出力される第１の駆動信号１３１ａ〜１３１ｃ、１３２ａ〜１３２ｃ及び１３３ａ〜１３３ｃは選択回路１２０を介して、列選択信号線１１１〜１１９と接続されているスイッチトランジスタＳＷの各ゲートに順次印加される。これにより、列選択信号線１１１〜１１９に順次読み出された画素信号が検出信号としてスイッチトランジスタＳＷを介して検出信号線１０５に出力される。
【００８２】
これに対し、第２の駆動回路１４０の、例えば第１のブロック１４１から出力される第２の駆動信号１４１ａは選択回路１２０から３つの駆動信号１２１ａ、１２１ｂ及び１２１ｃとして、列選択信号線１１１〜１１３のスイッチトランジスタＳＷのゲートに出力され、その結果、列選択信号線１１１〜１１３からの検出信号が検出信号線１０５に同時に出力される。同様に、第２のブロック１４２から出力される第２の駆動信号１４２ａは選択回路１２０から３つの駆動信号１２２ａ、１２２ｂ及び１２２ｃとして同時に出力され、その結果、列選択信号線１１４〜１１６からの検出信号が検出信号線１０５に同時に出力される。また、第３のブロック１４３から出力される第２の駆動信号１４３ａは選択回路１２０から３つの駆動信号１２３ａ、１２３ｂ及び１２３ｃとして同時に出力され、その結果、列選択信号線１１７〜１１９からの検出信号が検出信号線１０５に同時に出力される。この場合、検出信号線１０５には、例えば列選択信号線１１１〜１１３からの３つの検出信号の電圧値が平均されて出力される。
【００８３】
図８にＣＭＯＳトランジスタを用いた選択回路１２０の構成例を示す。ここでは、選択回路１２０のうちの第１のブロック１２１のみを示し、他のブロック１２１、１２２は第１のブロックと同等の構成であるため省略する。図８に示すように、第１の選択回路１３０からの第１の駆動信号１３１ａは、互いに並列に接続されたＮ型ＭＯＳトランジスタ１６２ａとＰ型ＭＯＳトランジスタ１６３ａとからなるＣＭＯＳトランジスタを介して駆動信号１２１ａとして出力される。
【００８４】
同様に、第１の選択回路１３０からの第１の駆動信号１３１ｂは、互いに並列に接続されたＮ型ＭＯＳトランジスタ１６２ｂとＰ型ＭＯＳトランジスタ１６３ｂとからなるＣＭＯＳトランジスタを介して駆動信号１２１ｂとして出力され、第１の駆動信号１３１ｃは、互いに並列に接続されたＮ型ＭＯＳトランジスタ１６２ｃとＰ型ＭＯＳトランジスタ１６３ｃとからなるＣＭＯＳトランジスタを介して駆動信号１２１ｃとして出力される。
【００８５】
第２の選択回路１４０からの第２の駆動信号１４１ａは、それぞれ互いに並列に接続されたＮ型ＭＯＳトランジスタ１６２ｄ、１６２ｅ及び１６２ｆとＰ型ＭＯＳトランジスタ１６３ｄ、１６３ｅ及び１６３ｆとからなるＣＭＯＳトランジスタを介して、各駆動信号１２１ａ、１２１ｂ及び１２１ｃとして出力される。
【００８６】
Ｎ型ＭＯＳトランジスタ１６２ａ、１６２ｂ及び１６２ｃの各ゲートは第１の選択信号線１６０と接続され、Ｐ型ＭＯＳトランジスタ１６３ａ、１６３ｂ及び１６３ｃの各ゲートは、それぞれインバータ１６４ａ、１６４ｂ及び１６４ｃを介して第１の選択信号線１６０と接続されている。
【００８７】
Ｎ型ＭＯＳトランジスタ１６２ｄ、１６２ｅ及び１６２ｆの各ゲートは第２の選択信号線１６１と接続され、Ｐ型ＭＯＳトランジスタ１６３ｄ、１６３ｅ及び１６３ｆの各ゲートは、それぞれインバータ１６４ｄ、１６４ｅ及び１６４ｆを介して第２の選択信号線１６１とそれぞれ接続されている。
【００８８】
この構成により、第１の選択信号線１６０がハイレベルで且つ第２の選択信号線１６１がローレベルとなる静止画モードの場合は、第１の選択信号線１６０と接続されたＣＭＯＳトランジスタは導通状態であり、一方、第２の選択信号線１６１と接続されたＣＭＯＳトランジスタは非導通状態であるため、例えば、第１の駆動回路１３０からの第１の駆動信号１３１ａは駆動信号１２１ａとして出力される。
【００８９】
逆に、第１の選択信号線１６０がローレベルで且つ第２の選択信号線１６１がハイレベルとなる動画モードの場合は、第１の選択信号線１６０と接続されたＣＭＯＳトランジスタは非導通状態であり、一方、第２の選択信号線１６１と接続されたＣＭＯＳトランジスタは導通状態であるため、第２の駆動回路１４０からの第２の駆動信号１４１ａは、駆動信号１２１ａ、１２１ｂ及び１２１ｃとしてセンサ部１１０に出力される。これにより、図７に示したように、列選択信号線１１１、１１２及び１１３からの３つの検出信号が検出信号線１０５に同時に出力される。
【００９０】
以上説明したように、第２の実施形態に係る固体撮像装置によると、動画モードにおいても、従来のような飛び越し走査を行なわず、代わりに、複数の画素列からの検出信号を同時に平均化して検出するため、画素情報の欠落がなくなるので、偽色の発生を防止することができ、その結果、動画像の画質を向上することができる。
【００９１】
（第３の実施形態） 
以下、本発明の第３の実施形態について図面を参照しながら説明する。
【００９２】
第３の実施形態に係る固体撮像装置は、その主要部は図６に示した第２の実施形態と同様であり、両者の相違点は、選択回路１２０がＣＭＯＳトランジスタに代えてＮＭＯＳトランジスタを用いている点と、第１の駆動回路１３０及び第２の駆動回路１４０を共にマスタ・スレーブ動作させる点である。
【００９３】
図９にＮＭＯＳトランジスタを用いた選択回路１２０、第１の駆動回路１３０及び第２の駆動回路１４０うちのそれぞれ第１のブロック１２１、１３１及び１４１のみを示す。
【００９４】
図９に示すように、第１の駆動回路１３０の第１のブロック１３１は、第１の駆動信号１３１ａがマスタ信号１３１ａｍとスレーブ信号１３１ａｓとに分けられている。同様に、第１の駆動信号１３１ｂはマスタ信号１３１ｂｍとスレーブ信号１３１ｂｓとに分けられ、第１の駆動信号１３１ｃはマスタ信号１３１ｃｍとスレーブ信号１３１ｃｓとに分けられている。
【００９５】
第２の駆動回路１４０の第１のブロック１４１は、第２の駆動信号１４１ａがマスタ信号１４１ａｍとスレーブ信号１４１ａｓとに分けられている。
【００９６】
選択回路１２０の第１のブロック１２１は、各ゲートが第１の駆動回路１３０の第１のブロック１３１からのマスタ信号１３１ａｍ等を受け、各ドレインが選択信号線１６２と接続された第１のＮＭＯＳトランジスタ１６５ａ、１６５ｂ及び１６５ｃと、各ゲートが第１のＮＭＯＳトランジスタ１６５ａ等の各ソースと接続され、各ドレインが駆動信号１２１ａ、１２１ｂ及び１２１ｃをそれぞれ出力する第２のＮＭＯＳトランジスタ１６６ａ、１６６ｂ及び１６６ｃとを有している。
【００９７】
また、第１のブロック１２１は、ゲートが第２の駆動回路１４０の第１のブロック１４１からのマスタ信号１４１ａｍを受け、ドレインが選択信号線１６２と接続された第１のＮＭＯＳトランジスタ１６５ｄと、各ゲートが第１のＮＭＯＳトランジスタ１６５ｄのソースと接続され、各ドレインが駆動信号１２１ａ、１２１ｂ及び１２１ｃをそれぞれ出力する第２のＮＭＯＳトランジスタ１６６ｄ、１６６ｅ及び１６６ｆとを有している。
【００９８】
第１のＮＭＯＳトランジスタ１６５ａ等のソースと第２のＮＭＯＳトランジスタ１６６ａ等のソースとの間には、両ソース間に所定の電位差、すなわち第２のＮＭＯＳトランジスタ１６６ａ等の駆動電圧を生成するコンデンサ１６７ａ〜１６７ｄが接続されている。また、第１のＮＭＯＳトランジスタ１６５ａ等のソース及び第２のＮＭＯＳトランジスタ１６６ａ等のソースには、該ソースを接地して各コンデンサ１６７ａ等の電荷を排出する第３のＮＭＯＳトランジスタ１６８ａ〜１６８ｄ及び第４のＮＭＯＳトランジスタ１６９ａ〜１６９ｄがそれぞれ接続されている。
【００９９】
第３のＮＭＯＳトランジスタ１６８ａ及び第４のＮＭＯＳトランジスタ１６９ａの共有ゲートは、第１の駆動回路１３０の第１のブロック１３１からの第１の駆動信号のマスタ信号１３１ｂｍを受ける。同様に、第３のＮＭＯＳトランジスタ１６８ｂ及び第４のＮＭＯＳトランジスタ１６９ｂの共有ゲートは、第１のブロック１３１からの第１の駆動信号のマスタ信号１３１ｃｍを受ける。また、図示はしていないが、第３のＮＭＯＳトランジスタ１６８ｃ及び第４のＮＭＯＳトランジスタ１６９ｃの共有ゲートは、第１の駆動回路１３０の第２のブロック１３２からの第１の駆動信号のマスタ信号を受ける。また、第３のＮＭＯＳトランジスタ１６８ｄ及び第４のＮＭＯＳトランジスタ１６９ｄの共有ゲートは、第２の駆動回路１４０の第２のブロック１４２からの第２の駆動信号のマスタ信号を受ける。
【０１００】
以下、前記のように構成された選択回路１２０（第１のブロック１２１）の動作について説明する。
【０１０１】
まず、第１の駆動回路１３０（第１のブロック１３１）が動作し、第２の駆動回路１４０（第１のブロック１４１）が動作しない静止画モードの場合は、第１の駆動回路１３０からの第１の駆動信号のマスタ信号１３１ａｍの電位がハイレベルに遷移して、第１のＮＭＯＳトランジスタ１６５ａのゲートがハイレベルになると、該第１のＮＭＯＳトランジスタ１６５ａは導通状態となって、コンデンサ１６７ａにおける第１のＮＭＯＳトランジスタ１６５ａのソース側の第１端子の電圧が選択信号線１６２によりハイレベルとなる。このとき、第１の駆動回路１３０からのスレーブ信号１３１ａｓの電圧は接地レベルであるため、コンデンサ１６７ａにおける第２のＮＭＯＳトランジスタ１６６ａのソース側の第２端子の電位も接地レベルとなり、その結果、コンデンサ１６７ａの第１端子の電位が高くなる。すなわち、第２のＮＭＯＳトランジスタ１６６ａのゲート電位がハイレベルとなって、該第２のＮＭＯＳトランジスタ１６６ａは導通状態となる。
【０１０２】
次に、第１の駆動回路１３０からのマスタ信号１３１ａｍがローレベルに且つスレーブ信号１３１ａｓがハイレベルに遷移すると、その電位の変化が第２のＮＭＯＳトランジスタ１６６ａのソースに伝わることにより、導通状態にある第２のＮＭＯＳトランジスタ１６６ａのドレインがハイレベルになるため、列選択信号線１２１ａの電位もハイレベルとなるので、図７に示す検出信号線１０５に列選択信号線１１１からの検出信号が出力される。
【０１０３】
次に、第１の駆動回路１３０からのマスタ信号１３１ｂｍがハイレベルとなり且つスレーブ信号１３１ｂｓがローレベルとなると、今度は、第２のＮＭＯＳトランジスタ１６６ｂが導通状態となる。このとき、第３のＮＭＯＳトランジスタ１６８ａ及び第４のＮＭＯＳトランジスタ１６９ａの共有ゲートがハイレベルに遷移するため、コンデンサ１６７ａに充電されていた電荷が放電される。
【０１０４】
このように、第１の駆動回路１３０が、第１のブロック１３１から第２のブロック１３２及び第３のブロック１３３へと順次走査して、駆動信号１２１ａ、１２１ｂ、…、１２３ｃが順次ハイレベルに遷移することにより、列信号選択線１１１〜１１９から検出信号線１０５に検出信号が順次出力される。
【０１０５】
これに対し、第１の駆動回路１３０（第１のブロック１３１）が動作せず、第２の駆動回路１４０（第１のブロック１４１）が動作する動画モードの場合は、第２の駆動回路１４０からのマスタ信号１４１ａｍの電位がハイレベルに遷移して、第１のＮＭＯＳトランジスタ１６５ｄのゲートに印加されると、該第１のＮＭＯＳトランジスタ１６５ｄは導通状態となって、コンデンサ１６７ｄにおける第１のＮＭＯＳトランジスタ１６５ｄのソース側の第１端子の電圧が選択信号線１６２によりハイレベルとなる。このとき、コンデンサ１６７ｄにおける第２のＮＭＯＳトランジスタ１６６ｄ〜１６６ｆのソース側の第２端子は第２の駆動回路１４０からのスレーブ信号１４１ａｓの電圧が接地レベルであるため、コンデンサ１６７ｄの第１端子の電位が高くなる。すなわち、第２のＮＭＯＳトランジスタ１６６ｄ〜１６６ｆの各ゲート電位がハイレベルとなって、該各第２のＮＭＯＳトランジスタ１６６ｄ〜１６６ｆはいずれも導通状態となる。
【０１０６】
次に、第２の駆動回路１４０からのマスタ信号１４１ａｍがローレベルに且つスレーブ信号１４１ａｓがハイレベルに遷移すると、その電位の変化が第２のＮＭＯＳトランジスタ１６６ｄ〜１６６ｆの各ソースに伝わることにより、導通状態にある第２のＮＭＯＳトランジスタ１６６ｄ〜１６６ｆの各ドレインがハイレベルとなるため、駆動信号１２１ａ、１２１ｂ及び１２１ｃの電位が同時にハイレベルとなるので、図７に示す検出信号線１０５には、列選択信号線１１１、１１２及び１１３からの検出信号が同時に出力される。
【０１０７】
このように、第２の駆動回路１４０が、第１のブロック１４１から第２のブロック１４２及び第３のブロック１４３へと順次走査して、３本ずつの列選択信号線１２１ａ〜１２１ｃ、１２２ａ〜１２２ｃ及び１２３ａ〜１２３ｃが順次ハイレベルに遷移することにより、検出信号線１０５には列選択信号線１２１ａ〜１２１ｃからの３列ずつの画素列からの検出信号が平均化されて出力される。
【０１０８】
以上説明したように、第３の実施形態に係る固体撮像装置によると、動画モードにおいても、従来のような飛び越し走査に代えて、複数の画素列からの検出信号を同時に平均化して検出するため、画素情報の欠落がなくなるので、偽色の発生を防止することができ、その結果、動画像の画質を向上することができる。
【０１０９】
なお、第２及び第３の各実施形態においては、第２の駆動回路１４０による、複数の画素列のうちの３列分の検出信号を同時に出力する構成を例として説明したが、選択回路１２０の回路構成を変更することにより、２列又は４列以上の画素列からの検出信号を同時に出力する構成も可能である。
【０１１０】
また、第２及び第３の各実施形態においては、行方向及び列方向に配置された画素のうちの列方向に配置された画素列を選択する列選択信号に関して説明したが、行方向に配置された画素列を選択する行選択信号に対して本発明を適用してもよい。
【０１１１】
また、第１〜第３の各実施形態に係る固体撮像装置を用いてカメラを構成することにより、動画の撮像モードにおいても画素情報の欠落による偽色の発生を防止し、画質低下の少ないカメラを実現することができる。
【産業上の利用可能性】
【０１１２】
本発明は、デジタルカメラ等に使用されるＭＯＳ型の固体撮像装置に適しており、具体的には、携帯電話機に内蔵されるカメラ、デジタルスチルカメラ及び情報処理機器に接続されるカメラユニット等に適している。
【図面の簡単な説明】
【０１１３】
【図１】本発明の第１の実施形態に係る固体撮像装置の構成を示す図である。
【図２】本発明の第１の実施形態に係る固体撮像装置における第１の信号伝達方式の第１の例を示す図である。
【図３】本発明の第１の実施形態に係る固体撮像装置における第１の信号伝達方式の第２の例を示す図である。
【図４】本発明の第１の実施形態に係る固体撮像装置における第２の信号伝達方式の第１の例を示す図である。
【図５】本発明の第１の実施形態に係る固体撮像装置における第２の信号伝達方式の第２の例を示す図である。
【図６】本発明の第２の実施形態に係る固体撮像装置の構成を示す図である。
【図７】本発明の第２の実施形態に係る固体撮像装置における列駆動回路を示すブロック図である。
【図８】本発明の第２の実施形態に係る固体撮像装置における列駆動回路を構成する選択回路を示す回路図である。
【図９】本発明の第３の実施形態に係る固体撮像装置における列駆動回路を構成する選択回路を示す回路図である。
【図１０】第１の従来例に係る固体撮像装置の構成を示す図である。
【図１１】第２の従来例に係る固体撮像装置の構成を示す図である。
【図１２】第２の従来例に係る固体撮像装置における駆動回路を示すブロック図である。
【符号の説明】
【０１１４】
１  行方向及び列方向に二次元に配列された複数の画素の集合
２  ２行且つ２列に配列された４個の画素よりなる画素ユニット
３  ５行且つ５列に配列された９個の画素よりなる画素混合ユニット
５  水平シフトレジスタ
６  垂直シフトレジスタ
１０  センサ部における１列の画素群
１１  第１の垂直シフトレジスタ
１１ａ  第１の走査開始端子
１２  第２の垂直シフトレジスタ
１２ａ  第２の走査開始端子
１５  センサ部における１列の画素群
１６  第１の垂直シフトレジスタ
１６ａ  第１の走査開始端子
１７  第２の垂直シフトレジスタ
１７ａ  第２の走査開始端子
２０  センサ部における１列の画素群
２１  垂直シフトレジスタ
２２、２３、２４、２５、２６、２７、２８、２９、３０、３１、３２、３３、３４、３５、３６  トランジスタ
２５  センサ部における１列の画素群
２６  垂直シフトレジスタ
４０、４１、４２、４３、４４、４５、４６、４７、４８、４９、５０、５１、５２、５３、５４、５５、５６、５７、５８、５９、６０、６１、６２、６３、６４、６５、６６、６７  トランジスタ
１０１  撮像部
１０２  列選択信号線
１０３  列駆動回路
１０５  検出信号線
１０１１、１０１２、１０１３、１０１４、１０１５  画素部
１０７  行駆動回路
１０８  行選択信号線
１１０  センサ部
１１１、１１２、１１３、１１４、１１５、１１６，１１７、１１８、１１９  列選択信号線
１２０  選択回路
１２１  第１のブロック
１２１ａ、１２１ｂ、１２１ｃ  駆動信号
１２２  第２のブロック
１２２ａ、１２２ｂ、１２２ｃ  駆動信号
１２３  第３のブロック
１２３ａ、１２３ｂ、１２３ｃ  駆動信号
１３０  第１の駆動回路
１３１  第１のブロック
１３１ａ、１３１ｂ、１３１ｃ  第１の駆動信号
１３２  第２のブロック
１３２ａ、１３２ｂ、１３２ｃ  第１の駆動信号
１３３  第３のブロック
１３３ａ、１３３ｂ、１３３ｃ  第１の駆動信号
１３１ａｍ、１３１ｂｍ、１３１ｃｍ  マスタ信号
１３１ａｓ、１３１ｂｓ、１３１ｃｓ  スレーブ信号
１４０  第２の駆動回路
１４１  第１のブロック
１４１ａ  第２の駆動信号
１４２  第２のブロック
１４２ａ  第２の駆動信号
１４３  第３のブロック
１４３ａ  第２の駆動信号
１４１ａｍ  マスタ信号
１４１ａｓ  スレーブ信号
１６０  第１の選択信号線
１６１  第２の選択信号線
１６２ａ、１６２ｂ、１６２ｃ、１６２ｄ、１６２ｅ、１６２ｆ  Ｎ型ＭＯＳトランジスタ
１６３ａ、１６３ｂ、１６３ｃ、１６３ｄ、１６３ｅ、１６３ｆ  Ｐ型ＭＯＳトランジスタ
１６４ａ、１６４ｂ、１６４ｃ、１６４ｄ、１６４ｅ、１６４ｆ  インバータ
１６５ａ、１６５ｂ、１６５ｃ、１６５ｄ  第１のＮＭＯＳトランジスタ
１６６ａ、１６６ｂ、１６６ｃ、１６６ｄ、１６６ｅ、１６６ｆ  第２のＮＭＯＳトランジスタ
１６７ａ、１６７ｂ、１６７ｃ、１６７ｄ  コンデンサ
１６８ａ、１６８ｂ、１６８ｃ、１６８ｄ  第３のＮＭＯＳトランジスタ
１６９ａ、１６９ｂ、１６９ｃ、１６９ｄ  第４のＮＭＯＳトランジスタ
【図１】
0004680950.tif 000002
【図２】
0004680950.tif 000003
【図３】
0004680950.tif 000004
【図４】
0004680950.tif 000005
【図５】
0004680950.tif 000006
【図６】
0004680950.tif 000007
【図７】
0004680950.tif 000008
【図８】
0004680950.tif 000009
【図９】
0004680950.tif 000010
【図１０】
0004680950.tif 000011
【図１１】
0004680950.tif 000012
【図１２】
0004680950.tif 000013